【手続補正書】
【提出日】平成18年5月29日(2006.5.29)
【手続補正１】
【補正対象書類名】明細書
【補正対象項目名】発明の名称
【補正方法】変更
【補正の内容】
【発明の名称】光ピックアップ装置および記録情報読み取り装置
【手続補正２】
【補正対象書類名】明細書
【補正対象項目名】特許請求の範囲
【補正方法】変更
【補正の内容】
【特許請求の範囲】
【請求項１】  受発光素子と記録媒体との光軸上に配置された光学部品を駆動するアクチュエータと該アクチュエータに電力を供給するためのフレキシブル基板と、前記光学部品とアクチュエータを収納するハウジングとを備えた光ピックアップ装置であって、
前記ハウジングに装着される押圧部材を有し、
押圧部材は、前記光学部品と、アクチュエータと、フレキシブル基板のうちいずれか複数の部材をハウジングに押圧する押圧部が一体に成形されることを特徴とする光ピックアップ装置。
【請求項２】  押圧部材はこのフレキシブル基板をハウジングと反対側から部分的に覆うことを特徴とする請求項１記載の光ピックアップ装置。
【請求項３】  押圧部材は、電磁波を遮断するシールド機能を有することを特徴とする請求項１または２に記載の光ピックアップ装置。
【請求項４】  情報記録媒体の記録面に対向して配置され、該記録面に記録された情報を光学的に読み取る光ピックアップ装置を備えた記録情報読み取り装置であって、
前記光ピックアップ装置は、受発光素子と記録媒体との光軸上に配置された光学部品を駆動するアクチュエータと、該アクチュエータに電力を供給するためのフレキシブル基板と、前記光学部品とアクチュエータを収納するハウジングと、該ハウジングに装着される押圧部材と、を有し、
押圧部材は、前記光学部品と、アクチュエータと、フレキシブル基板のうちいずれか複数の部材をハウジングに押圧する押圧部が一体に成形されることを特徴とする光ピックアップ装置を備えた記録情報読み取り装置。
【手続補正３】
【補正対象書類名】明細書
【補正対象項目名】０００１
【補正方法】変更
【補正の内容】
【０００１】
【発明の属する技術分野】
本発明は、光ピックアップ装置および記録情報読み取り装置に関し、たとえばコンパクトディスクおよびデジタルバーサタイルディスクなどの記録媒体に対する情報の記録、再生、消去を行う光ピックアップ装置および記録情報読み取り装置に関する。
【手続補正４】
【補正対象書類名】明細書
【補正対象項目名】０００６
【補正方法】変更
【補正の内容】
【０００６】
したがって本発明の目的は、組立てを簡単化し、小形化を図るとともに製作コストの低減を図ることができる光ピックアップ装置および記録情報読み取り装置を提供することである。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
【課題を解決するための手段】
請求項１記載の本発明は、受発光素子と記録媒体との光軸上に配置された光学部品を駆動するアクチュエータと該アクチュエータに電力を供給するためのフレキシブル基板と、前記光学部品とアクチュエータを収納するハウジングとを備えた光ピックアップ装置であって、
前記ハウジングに装着される押圧部材を有し、
押圧部材は、前記光学部品と、アクチュエータと、フレキシブル基板のうちいずれか複数の部材をハウジングに押圧する押圧部が一体に成形されることを特徴とする光ピックアップ装置である。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
本発明に従えば、押圧部材に備えられている各押圧部は、ハウジング内に備えられている、光学部品、アクチュエータ、フレキシブル基板のうちいずれか複数の部材を、押圧対象物としてハウジングに押圧することができる。押圧部材は複数の押圧部が一体に成形されるので、機能毎に複数の板ばね片を組み合わせる従来のものと比べて、部品点数を低減することができるとともに光ピックアップ装置の小形化を図ることができる。また押圧部材の押圧対象物への装着自体を簡単化することができる。たとえば各押圧部を塑性変形させないように組立作業に気をつかう必要が皆無となる。したがって、組立てに要するサイクルタイムを短縮することができるうえ、製作コストの低減を図ることができる。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
請求項２記載の本発明は、押圧部材はこのフレキシブル基板をハウジングと反対側から部分的に覆うことを特徴とする。
【手続補正１６】
【補正対象書類名】明細書
【補正対象項目名】００１８
【補正方法】変更
【補正の内容】
【００１８】
本発明に従えば、押圧部材はフレキシブル基板をハウジングと反対側から部分的に覆うので、フレキシブル基板がハウジングから離反する方向へ変位することを防止することが可能となる。
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】変更
【補正の内容】
【００２１】
請求項３記載の本発明は、押圧部材は、電磁波を遮蔽するシールド機能を有することを特徴とする。
【手続補正２０】
【補正対象書類名】明細書
【補正対象項目名】００２２
【補正方法】変更
【補正の内容】
【００２２】
本発明に従えば、押圧部材は電磁波を遮蔽するシールド機能を有するので、正確かつ確実なピックアップ動作を実現することができる。
請求項４記載の本発明は、情報記録媒体の記録面に対向して配置され、該記録面に記録された情報を光学的に読み取る光ピックアップ装置を備えた記録情報読み取り装置であって、
前記光ピックアップ装置は、受発光素子と記録媒体との光軸上に配置された光学部品を駆動するアクチュエータと、該アクチュエータに電力を供給するためのフレキシブル基板と、前記光学部品とアクチュエータを収納するハウジングと、該ハウジングに装着される押圧部材と、を有し、
押圧部材は、前記光学部品と、アクチュエータと、フレキシブル基板のうちいずれか複数の部材をハウジングに押圧する押圧部が一体に成形されることを特徴とする光ピックアップ装置を備えた記録情報読み取り装置である。
本発明に従えば、押圧部材は、光学部品、アクチュエータ、フレキシブル基板のうちいずれか複数の部材を、押圧対象物として各押圧部によって所定の位置に押圧する。この各押圧部は一体に成形されて押圧部材を構成しているので、機能毎に複数の板ばね片を組み合わせる従来のものと比べて、部品点数を低減することができるとともに、押圧部材の小形化を図ることができる。しかも押圧部材は押圧対象物に装着され、押圧対象物の所定位置を各押圧部によって押圧するので、押圧部材の押圧対象物への装着自体を簡単化することができる。たとえば各押圧部を塑性変形させないように組立作業に気をつかう必要が皆無となる。したがってサイクルタイムを短縮することができるうえ、製作コストの低減を図ることが可能となる。
【手続補正２１】
【補正対象書類名】明細書
【補正対象項目名】００５５
【補正方法】削除
【補正の内容】
【手続補正２２】
【補正対象書類名】明細書
【補正対象項目名】００５６
【補正方法】削除
【補正の内容】
【手続補正２３】
【補正対象書類名】明細書
【補正対象項目名】００５７
【補正方法】削除
【補正の内容】
【手続補正２４】
【補正対象書類名】明細書
【補正対象項目名】００５８
【補正方法】変更
【補正の内容】
【００５８】
【発明の効果】
請求項１記載の本発明によれば、押圧部材に備えられている各押圧部は、ハウジング内に備えられている、光学部品、アクチュエータ、フレキシブル基板のうちいずれか複数の部材を、押圧対象物としてハウジングに押圧することができる。押圧部材は複数の押圧部が一体に成形されるので、機能毎に複数の板ばね片を組み合わせる従来のものと比べて、部品点数を低減することができるとともに光ピックアップ装置の小形化を図ることができる。
また押圧部材の押圧対象物への装着自体を簡単化することができる。たとえば各押圧部を塑性変形させないように組立作業に気をつかう必要が皆無となる。したがって、組立てに要するサイクルタイムを短縮することができるうえ、製作コストの低減を図ることができる。
【手続補正２５】
【補正対象書類名】明細書
【補正対象項目名】００５９
【補正方法】削除
【補正の内容】
【手続補正２６】
【補正対象書類名】明細書
【補正対象項目名】００６０
【補正方法】変更
【補正の内容】
【００６０】
請求項２記載の本発明によれば、押圧部材はフレキシブル基板をハウジングと反対側から部分的に覆うので、フレキシブル基板がハウジングから離反する方向へ変位することを防止することが可能となる。
【手続補正２７】
【補正対象書類名】明細書
【補正対象項目名】００６１
【補正方法】削除
【補正の内容】
【手続補正２８】
【補正対象書類名】明細書
【補正対象項目名】００６２
【補正方法】変更
【補正の内容】
【００６２】
請求項３記載の本発明によれば、押圧部材は電磁波を遮蔽するシールド機能を有するので、正確かつ確実なピックアップ動作を実現することができる。
請求項４記載の本発明によれば、押圧部材は、光学部品、アクチュエータ、フレキシブル基板のうちいずれか複数の部材を、押圧対象物として各押圧部によって所定の位置に押圧する。この各押圧部は一体に成形されて押圧部材を構成しているので、機能毎に複数の板ばね片を組み合わせる従来のものと比べて、部品点数を低減することができるとともに、押圧部材の小形化を図ることができる。しかも押圧部材は押圧対象物に装着され、押圧対象物の所定位置を各押圧部によって押圧するので、押圧部材の押圧対象物への装着自体を簡単化することができる。たとえば各押圧部を塑性変形させないように組立作業に気をつかう必要が皆無となる。したがってサイクルタイムを短縮することができるうえ、製作コストの低減を図ることが可能となる。
【手続補正２９】
【補正対象書類名】図面
【補正対象項目名】図５
【補正方法】変更
【補正の内容】
【図５】
2004362681.tif 000001